(57)【要約】【課題】高電圧の電気的ノイズによるセンタ役物外周枠の基板取付部に取付られたプリント基板に実装した電子部品の破損を防止できるパチンコ遊技機の基板取付構造を提供する。【解決手段】センタ役物外周枠左部２０Ｌの前面壁部２０ａに一体成形された基板取付部２５と、この基板取付部２５に取付られるプリント基板２７の裏面２７ｂの全体を覆う絶縁シート２８とを備え、プリント基板２７を絶縁シート２８を介在させて基板取付部２５に取付けたので、遊技球Ｐがセンタ役物外周枠左部２０Ｌに衝突して高電圧の電気的ノイズが発生した場合、絶縁シート２８により、基板取付部２５からプリント基板２７の裏面２７ｂへの電気的ノイズの伝搬が断ち切られるため、プリント基板２７に実装されたＬＥＤ３６の破損を確実に防止することができる。【選択図】図１２
2010142341.tif 000002
【特許請求の範囲】
【請求項１】
遊技盤に設けられ全体にメッキ加工が施されたセンタ役物外周枠に、複数の電子部品が実装されたプリント基板を取付けるパチンコ遊技機の基板取付構造において、
前記センタ役物外周枠の前面部に形成された基板取付部と、
前記プリント基板の裏面全体を覆う絶縁シートとを備え、
前記プリント基板を絶縁シートを介在させて基板取付部に押えるように取付けたことを特徴とするパチンコ遊技機の基板取付構造。
【請求項２】
前記センタ役物外周枠の基板取付部の近傍部に前面側からビス止めされ、前記プリント基板を基板取付部に押えるとともに前記複数の電子部品を前面に露出させる形状に形成された基板押えを備えたことを特徴とする請求項１に記載にパチンコ遊技機の基板取付構造。
【請求項３】
前記プリント基板の裏面に配線がプリント成形され、
前記基板取付部は、前記プリント基板の裏面のうち配線が無い部分を絶縁シートを介して支持するボス部を有することを特徴とする請求項２に記載のパチンコ遊技機の基板取付構造。
【請求項４】
前記プリント基板の裏面にコネクタが装着され、
前記絶縁シートに、前記コネクタが貫通するコネクタ貫通穴が形成されたことを特徴とする請求項３に記載のパチンコ遊技機の基板取付け構造。
【請求項５】
前記センタ役物外周枠のうち遊技球が衝突する可能性が他の部位よりも高いセンタ役物外周枠左部に装備されたことを特徴とする請求項１〜４の何れかに記載のパチンコ遊技機の基板取付構造。
【請求項６】
前記センタ役物外周枠に金メッキ加工が施されたことを特徴とする請求項１〜５の何れかに記載のパチンコ遊技機の基板取付構造。
【請求項７】
前記電子部品が複数のＬＥＤからなり、前記プリント基板がＬＥＤ基板からなることを特徴とする請求項１〜６の何れかに記載のパチンコ遊技機の基板取付構造。
【請求項８】
前記プリント基板の前面側近傍部に光透過型装飾部材を設けたことを特徴とする請求項１〜７の何れかに記載のパチンコ遊技機の基板取付構造。
【発明の詳細な説明】
【技術分野】
【０００１】
本発明は、パチンコ遊技機の基板取付構造に関し、特に、メッキ加工が施されたセンタ役物外周枠に取付られたプリント基板への電気的ノイズの侵入を阻止できるようにしたパチンコ遊技機の基板取付構造に関するものである。
【背景技術】
【０００２】
従来から、パチンコ遊技機には、遊技盤の盤面の中央領域にセンタ役物が設けられ、このセンタ役物の下方には始動入賞口が設けられている。センタ役物には、遊技盤に取付られた合成樹脂製のセンタ役物外周枠が設けられている。このセンタ役物外周枠の左右側部の内側近傍部位の少なくとも一方にはワープ通路が設けられることが多い。ワープ通路のワープ入口を狙って発射された遊技球が、ワープ入口に流入すると、ワープ通路を流下してワープ出口から出てステージ上に導かれ、ステージ上を転動した後、始動入賞口の方へ落下する。
【０００３】
従来から、この種のパチンコ遊技機においては、センタ役物外周枠に高級感や華やかさを高めるために導電性を有する硬質金メッキ等の貴金属メッキ加工が施されることが多い。また、センタ役物外周枠の前面部の近傍部位には、光装飾効果を高めるために複数のフルカラーの発光ダイオード（ＬＥＤ）を実装したＬＥＤ基板が取付けられことが多い。
【０００４】
ところで、ワープ入口を狙って連続的に発射された遊技球が、遊技領域の上方から流下してセンタ役物外周枠の左右側部に繰返し衝突すると、センタ役物の左右側部に高電圧の静電気が溜まることがあり、この高電圧の静電気がプリント基板に電気的ノイズ等を発生させる要因となり、プリント基板に実装された電子部品等に悪影響を及ぼす。
【０００５】
従来から、電気的ノイズに対して対策を講じた技術が開示され実用に供されている。例えば、特許文献１には、遊技制御用ＲＯＭを実装する制御基板を、導電性が付与された高分子材料（ＡＢＳ樹脂）で形成した遊技機用基板ボックス内に収納し、この基板ボックスにアース線を接続して接地し、基板ボックスに帯電した電荷を放電させる技術が開示されている。この基板ボックスは遊技盤の裏側に配設されている。
【特許文献１】特開２００３−１９０４１０号公報
【発明の開示】
【発明が解決しようとする課題】
【０００６】
従来のパチンコ遊技機においては、全体に硬質金メッキ加工が施されたセンタ外周枠の基板取付部にＬＥＤ基板を直接取付けた場合、センタ役物外周枠に遊技球が衝突して高電圧の静電気が溜まり電気的ノイズが発生すると、その電気的ノイズが基板取付部からＬＥＤ基板に伝わる。その高電圧（約２ｋｖ〜４ｋｖ）の電気的ノイズがＬＥＤ基板に実装されたＬＥＤの発光素子にリード端子を介して侵入し、発光素子が破損するという問題がある。
【０００７】
また、前記の基板取付部にボス部を設け、そのボス部にＬＥＤ基板を支持してビス止めして取付けた場合、ＬＥＤ基板の裏面にプリントされた配線がそのボス部に接近する位置関係となるので、基板取付部から放電された高電圧の静電気が配線に印加して、ＬＥＤの発光素子にかかる電圧が高くなり、発光素子が破損する虞が高くなる。
【０００８】
センタ役物外周枠において、基板取付部のみメッキを剥離することも考えられるが、その剥離作業に手間と時間がかかるため、センタ役物外周枠の製造工程における作業負荷が大きくなり、量産品として適さない。
【０００９】
他方、特許文献１の技術においては、パチンコ遊技機の開閉扉を開放した後閉鎖するときにアース線が挟まって断線するおそれがあり、必ずしも、アース線による接地が好ましいとは限らない。
【００１０】
本発明の目的は、電気的ノイズによるセンタ役物外周枠の基板取付部に取付けられたプリント基板に実装した電子部品の破損を防止できるパチンコ遊技機の基板取付構造を提供することである。
【課題を解決するための手段】
【００１１】
本願発明は以下の構成を有するものである。尚、括弧内の参照符号は、本願発明の理解を助けるために図面との対応関係の一例を示したものであり、本願発明の技術的範囲を何ら限定するものではない。
請求項１のパチンコ遊技機の基板取付構造は、遊技盤(4) に設けられ全体にメッキ加工が施されたセンタ役物外周枠(20)に、複数の電子部品が実装されたプリント基板(27)を取付けるパチンコ遊技機(1) の基板取付構造において、センタ役物外周枠(20)の前面部に形成された基板取付部(25)と、プリント基板(27)の裏面全体を覆う絶縁シート(28)とを備え、プリント基板(27)を、絶縁シート(28)を介在させて基板取付部(25)に押えるように取付けたことを特徴としている。
【００１２】
この基板取付構造においては、センタ役物外周枠(20)の基板取付部(25)にプリント基板(27)が絶縁シート(28)を介在させて取付られる。遊技領域(5) に連続的に発射された遊技球(P) がセンタ役物外周枠(20)に繰返し衝突して高電圧の静電気が溜まり、この静電気により高電圧の電気的ノイズが発生した場合、その電気的ノイズがセンタ役物外周枠(20)から基板取付部(25)に伝わる。基板取付部(25)に伝わった電気的ノイズは、絶縁シート(28)によりプリント基板(27)への侵入が阻止される。
【００１３】
請求項２のパチンコ遊技機の基板取付構造は、請求項１の発明において、センタ役物外周枠(20)の基板取付部(25)の近傍部に前面側からビス止めされ、プリント基板(27)を基板取付部(25)に押えるとともに電子部品を前面に露出させる形状に形成された基板押え(29)を備えたことを特徴としている。
【００１４】
請求項３のパチンコ遊技機の基板取付構造は、請求項２の発明において、プリント基板(27)の裏面(27b) に配線(37b) がプリント成形され、基板取付部(25)は、プリント基板(27)の裏面(27)のうち配線(37b) が無い部分を絶縁シート(28)を介して支持するボス部(35)を有することを特徴としている。
【００１５】
請求項４のパチンコ遊技機の基板取付構造は、請求項３の発明において、プリント基板(27)の裏面(27b) にコネクタ(38)が装着され、絶縁シート(28)に、コネクタ(38)が貫通するコネクタ貫通穴(28a) が形成されたことを特徴としている。
【００１６】
請求項５のパチンコ遊技機の基板取付構造は、請求項１〜４の発明の何れかにおいて、センタ役物外周枠(20)のうち遊技球(P) が衝突する可能性が他の部位よりも高いセンタ役物外周枠左部(20L)に装備されたことを特徴としている。
【００１７】
請求項６のパチンコ遊技機の基板取付構造は、請求項１〜５の発明の何れかにおいて、センタ役物外周枠(20)に金メッキ加工が施されたことを特徴としている。
請求項７のパチンコ遊技機の基板取付構造は、請求項１〜６の発明の何れかにおいて、電子部品が複数のＬＥＤ(36)からなり、プリント基板(27)がＬＥＤ基板からなることを特徴としている。
【００１８】
請求項８のパチンコ遊技機の基板取付構造は、請求項１〜７の発明の何れかにおいて、プリント基板(27)の前面側近傍部に光透過型装飾部材(24)を設けたことを特徴としている。
【発明の効果】
【００１９】
請求項１の発明によれば、センタ役物外周枠の前面部に形成された基板取付部と、プリント基板の裏面全体を覆う絶縁シートとを備え、プリント基板を絶縁シートを介在させて基板取付部に押えるように取付けたので、遊技球がセンタ役物外周枠に衝突して電気的ノイズが発生した場合、絶縁シートにより、基板取付部からプリント基板の裏面への電気的ノイズの伝搬が断ち切られるため、プリント基板に実装された電子部品の破損を確実に防止することができる。
【００２０】
請求項２の発明によれば、センタ役物外周枠の基板取付部の近傍部に前面からビス止めされ、プリント基板を基板取付部に押えるとともに電子部品を前面に露出させる形状に形成された基板押えを備えたので、基板押えにより、プリント基板を基板取付部に確実に固定することができる。
【００２１】
請求項３の発明によれば、プリント基板の裏面に配線がプリント成形され、基板取付部は、プリント基板の裏面のうち配線が無い部分を絶縁シートを介して支持するボス部を有するので、プリント基板を絶縁シートを介在させて基板取付部に確実に固定することができる。
【００２２】
請求項４の発明によれば、プリント基板の裏面にコネクタが装着され、絶縁シートに、コネクタが貫通するコネクタ貫通穴が形成されたので、プリント基板を絶縁シートを介在させて基板取付部に取付けた状態でプリント基板側コネクタと外部コネクタを接続することができる。
【００２３】
請求項５の発明によれば、センタ役物外周枠のうち遊技球が衝突する可能性が他の部位よりも高いセンタ役物外周枠左部に装備されたので、センタ役物外周枠左部に遊技球が衝突して電気的ノイズが発生した場合、絶縁シートにより、プリント基板に実装した電子部品の破損を確実に防止することができる。
【００２４】
請求項６の発明によれば、センタ役物外周枠に金メッキ加工が施されたので、センタ役物外周枠に遊技球が衝突して電気的ノイズが発生した場合、絶縁シートにより、プリント基板に実装した複数の電子部品の破損を確実に防止することができるとともに、センタ役物外周枠の高級感や華やかさを高めることができる。
【００２５】
請求項７の発明によれば、電子部品が複数のＬＥＤからなり、プリント基板がＬＥＤ基板からなるので、センタ役物外周枠で発生した電磁的ノイズによる複数のＬＥＤの発光素子の破損を確実に防止することができる
【００２６】
請求項８の発明によれば、プリント基板の前面側近傍部に光透過型装飾部材を設けたので、光透過型装飾部材により複数のＬＥＤからの光による装飾効果を高めることができる。
【発明を実施するための最良の形態】
【００２７】
以下、本発明を実施するための最良の形態について実施例に基づいて説明する。
【実施例】
【００２８】
以下、本発明の実施例を図面に基づいて説明する。
図１、図２に示すように、第１種パチンコ機に分類されるパチンコ遊技機１には、パチンコホールの島構造体に取付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓部３ａが形成され、その窓部３ａに透明板３ｂが装着され、その透明板３ｂにより遊技領域５の前側が覆われている。この透明板３ｂを通して外部から遊技領域５を見ることができる。
【００２９】
開閉扉３の上部には複数の装飾ランプ（枠ランプ）３ｃが設けられ、窓部３ａの下側には、所謂チャンスボタンと呼ばれる遊技者が操作可能な演出ボタン９と、発射用の遊技球Ｐや入賞球を貯留する貯留皿６と、遊技者が操作する発射ハンドル７が装着されている。発射ハンドル７が回動操作されると、貯留皿６から発射位置に導入された遊技球Ｐが発射される。ここで、貯留皿６に複数の遊技球Ｐが存在する場合には、例えば、複数の遊技球Ｐが約０．６秒間隔で連続的に発射される。発射された遊技球Ｐは、ガイドレール８で案内されて遊技領域５の頂部に投入される。
【００３０】
図２に示すように、鉛直な盤面４ａを形成する遊技盤４には、多数の障害釘１０、風車１０ａ、始動入賞口装置１１、ゲート１２、大入賞口装置１３、複数の普通入賞口１４、画像表示器１５、役物装置１６、センタ役物１７が遊技領域５に装着されている。遊技盤４の裏面側には制御装置（図示略）が装着されている。
【００３１】
始動入賞口装置１１は、センタ役物１７の下側に配置され、所謂電チューと呼ばれる左右１対の開閉部材を備えた電動式チューリップ型役物を含む構成である。始動入賞口装置１１は、ゲート式の上始動入賞口１１ａと、開閉式の下始動入賞口１１ｂと、この下始動入賞口１１ｂを開閉する開閉部材１１ｃと、始動入賞口１１ａ，１１ｂに入賞した遊技球Ｐを検出する始動口ＳＷ（図示略）と、開閉部材１１ｃを開閉駆動する駆動手段（図示略）とを有する。
【００３２】
開閉部材１１ｃは、左右対称の２つの短い羽根部材が盤面直角方向の軸回りに動作するように構成され、閉塞位置で下始動入賞口１１ｂへの遊技球Ｐの入賞を不可能にし、開放位置で下始動入賞口１１ｂへの遊技球Ｐの入賞を可能にする。図２の開閉部材１１ｃは閉塞位置にある。
【００３３】
ゲート１２はセンタ役物１７の左側に配置され、このゲート１２を通過した遊技球Ｐを検出するゲートＳＷ（図示略）が付設されている。ゲート１２を遊技球Ｐが通過することを契機に行われる補助遊技抽選により当選した場合、補助遊技が発生し、始動入賞口装置１１が作動して、通常は閉塞の下始動入賞口１１ｂが開放するように開閉部材１１ｃを開閉動作させる。
【００３４】
大入賞口装置１３は、始動入賞口装置１１の下側に配置され、大入賞口１３ａと、大入賞口１３ａを開閉する開閉部材１３ｂと、大入賞口１３ａに入賞した遊技球Ｐを検出する大入賞口ＳＷ（図示略）と、開閉部材１３ｂを開閉駆動する大入賞口ソレノイド（図示略）とを有する。図２の開閉部材１３ｂは開放位置にある。
【００３５】
始動入賞口１１ａ，１１ｂへの遊技球Ｐの入賞を契機に行われる大当り抽選で当選した場合、大当り遊技が発生し、大入賞口装置１３が作動して、通常は閉塞の大入賞口１３ａが開放するように開閉部材１３ｂを開閉動作させる。
【００３６】
画像表示器１５は、液晶ディスプレイ（ＬＣＤ）からなり、センタ役物１７の中段部と下部に亙る領域に配置されている。この画像表示器１５には、始動入賞口１１ａ，１１ｂへの遊技球Ｐの入賞を契機に大当り抽選演出が表示され、その大当り抽選演出では、演出図柄を用いて図柄変動や大当り抽選の結果が表示され、また、大当り遊技中には大当り演出が表示される。
【００３７】
発射ハンドル７を回動操作することで、発射され遊技領域５の頂部に投入された遊技球Ｐは、複数の障害釘１０や風車１０ａに当たって方向を変えながら落下して、始動入賞口装置１１の始動入賞口１１ａ，１１ｂ、大入賞口装置１３の大入賞口１３ａ，複数の普通入賞口１４の何れかに入賞して遊技領域５外へ排出されるか、最下端まで落下してアウト口１９から遊技領域５外へ排出される。
【００３８】
図２に示すように、センタ役物１７は遊技盤４の盤面４ａの中央部に略円形領域に配置され、このセンタ役物１７には、遊技盤４に取付られセンタ役物１７を囲繞する合成樹脂製の装飾枠としてのセンタ役物外周枠２０が設けられている。センタ役物外周枠２０の全体には、センタ役物１７の高級感や華やかさを高めるために、導電性を有する硬質金メッキ加工が施されている。
【００３９】
図３、図４に示すように、センタ役物外周枠２０は、前面壁部２０ａと、この前面壁部２０ａの後面から後方へ直角に立ち上がる所定幅の外周壁部２０ｂを備えている。前面壁部２０ａの後面には、前後方向に所定幅を有する複数の円柱状のボス部２０ｃ（図６，図７参照）が後方へ突出状に形成され、そのボス部２０ｃにはビス穴が形成される。遊技盤４に形成された複数のビス挿通穴に挿通された固定用ビスをボス部２０ｃのビス穴に螺合させることにより、センタ役物外周枠２０が遊技盤４に締結固定される。
【００４０】
図２に示すように、センタ役物１７の上部と右部には役物装置１６が装着され、センタ役物外周枠２０の矩形中央穴に画像表示器１５が後側から臨むように取付られている。尚、センタ役物１７には、役物装置１６以外に種々の電飾部材が配設されている。
役物装置１６は、固定役物２１、可動役物２２、この可動役物２２を駆動する駆動手段（図示略）を有する。固定役物２１と可動役物２２は、センタ役物１７の上部から右部に亙って設けられ、関連する１つのキャラクタ（例えば、「キン肉マン」）  からなる役物を構成している。
【００４１】
固定役物２１が、キン肉マンの左下腕を形成し、可動役物２２が、キン肉マンの顔と左上腕と左手の指と左手で持たれた火玉とを形成している。固定役物２１と可動役物２２は、センタ役物外周枠２０の上部と右部よりも内側に配置され、固定役物２１はセンタ役物外周枠２０に固定され、可動役物２２は、図２に示す待機位置と予め設定された作動位置とに亙って回動自在に基端部が支軸を介してセンタ役物外周枠２０に支持されている。
【００４２】
センタ役物外周枠左部２０Ｌの内側近傍部位には、ワープ入口２３ａからセンタ役物１７の下側に形成されたステージ２４に導くワープ通路２３が配設されている。ワープ通路２３のワープ入口２３ａはセンタ役物外周枠左部２０Ｌの前面壁部２０ａの上端部に設けられ、センタ役物１７の外側に向けて開口されている。センタ役物外周枠下部の外周壁部２０ｂの上面には、ワープ通路２３のワープ出口２３ｂから流れ出た遊技球Ｐを始動入賞口装置１１側に導くステージ２４が左右方向に延びるように形成されている。
【００４３】
ワープ入口２３ａを狙って発射された遊技球Ｐが、遊技領域５の上方から流下してワープ入口２３ａに流入すると、ワープ通路２３を流下してワープ出口２３ｂから出てステージ２４上に導かれ、ステージ２４上を左右方向に往復移動した後、始動入賞口装置１１の方へ落下する。ここで、センタ役物外周枠２０のうちセンタ役物外周枠左部２０Ｌには上述のワープ入口２３ａが設けられており、センタ役物外周枠左部２０Ｌは、センタ役物外周枠２０の他の部位よりも遊技球Ｐが衝突する可能性が高く、遊技球Ｐがセンタ役物外周枠左部２０Ｌに繰返し衝突すると高電圧の静電気が溜まり、この静電気を要因とする電気的ノイズが発生する。
【００４４】
センタ役物外周枠左部２０Ｌにおいて、ワープ入口２３ａよりも下側には、光透過型装飾部材２４が配設されている。図５に示すように、この光透過型装飾部材２４は、前面が凸となる湾曲状に形成された縦長の浅い箱形の合成樹脂成形体からなり、前面には例えば、「キン肉マン」の５文字分の光透過窓２４ａが形成され、これら以外の部分には、硬質金メッキ加工が施されている。光透過型装飾部材２４は、センタ役物外周枠左部２０Ｌの前面壁部２０ａに一体成形された基板取付部２５に取付られている。
【００４５】
光透過型装飾部材２４の後側内面部には、光拡散部材２４ｂが密着状態に取付られている。この光拡散部材２４は、光拡散性のある多数の微小な部分球面部を網目状に配列して形成した透明樹脂成形体である。図６、図７に示すように、光拡散部材２４ｂの後面には、後方へ向けて突出状に形成された円柱状の３つの突起部２６ａ〜２６ｃが上下方向に適当間隔おきに設けられている。各突起部２６ａ〜２６ｃは、基端側から先端側へ行くほど右方へ移行するように傾斜状に設けられ、各突起部２６ａ〜２６ｃにはビス穴が形成されている。上下の突起部２６ａ，２６ｃは、上下の突起部２６ａ，２６ｃ間に設けられた突起部２６ｂよりも前後長が大きく形成されている。
【００４６】
光透過型装飾部材２４の後側近傍部位には、電子部品としての複数の光源（本実施例ではＬＥＤ）が実装されたプリント基板２７が設けられている。複数の光源の光が、光拡散部材２４ｂにより光透過型装飾部材２４の全体に拡散される。
【００４７】
センタ役物外周枠左部２０Ｌに、前記のプリント基板２７を取付ける基板取付構造が装備されている。図３、図４、図６、図７に示すように、基板取付構造は、センタ役物外周枠左部２０Ｌの前面壁部２０ａの近傍部位に一体成形された基板取付部２５と、この基板取付部２５に取付られるプリント基板２７の裏面全体を覆う絶縁シート２８と、プリント基板２７を押圧する基板押え２９とを備え、プリント基板２７を絶縁シート２８を介在させて基板押え２９で基板取付部２５に押えるように構成されている。
【００４８】
図３、図４に示すように、基板取付部２５は、センタ役物外周枠左部２０Ｌに一体形成されている。この基板取付部２５にも硬質金メッキ加工が施されている。基板取付部２５は、前面壁部２０ａの右端から右方に向けて突出状に形成された平板状の本体板部３１と、この本体板部３１の左右両端から前方へ直角に立ち上がる左端壁３０と右端壁３３を有する。
【００４９】
基板取付部２５において、左端壁３０は、所定の前後幅を有し上下方向に延設されている。左端壁３０の右側面には、左端壁３０よりも前後方向の幅が大きく本体板部３１から前方へ直角に立ち上げる円柱状のボス部３２ａ，３２ｂの外周面が夫々固着されている。そのボス部３２ａ，３２ｂにはビス穴が形成されている。
【００５０】
右端壁３３は左端壁３０よりも前後方向の幅が小さく、上下方向に不連続的に延設されている。右端壁３３には、下端部から左方に延出した狭い左右幅を有する支持部３３ａが上下方向に延設されている。
【００５１】
基板取付部２５の右端には、前記の光透過型装飾部材２４を光拡散部材２４ｂの上下の突起部２６ａ，２６ｃを介して基板取付部２５にビス止めするための２つのビス挿通穴３４ａ，３４ｂが夫々形成されている。
【００５２】
本体板部３１には、中央部から右端に亙って逆コ字状に切り欠いたコネクタ貫通穴３１ａが形成されている。本体板部３１においてコネクタ貫通穴３１ａよりも下側には、プリント基板２７の裏面２７ｂのうち配線が無い部分を支持する短柱状のボス部３５が形成され、そのボス部３５にはビス挿通穴が形成されている。ボス部３５の前面は、左端から右端へ行く程後方へ移行するように傾斜状に形成されている。
【００５３】
図８、図９に示すように、基板取付部２５に取付けられるプリント基板２７は、絶縁板の両面に銅箔などの導電体で配線が構成された構造からなり、基板取付部２５と略同一の外形形状に形成されている。プリント基板２７は、光源としてのフルカラーＬＥＤ３６を複数実装した基板であり、制御装置に電気的に接続されている。
【００５４】
図８に示すように、表面２７ａには、５つのＬＥＤ３６が上下方向に適当間隔おきに実装されるとともに、種々の配線パターン３７ａがプリント配線されている。ＬＥＤ３６は、チップ化された小型のＬＥＤであり、発光素子とリード端子とが電気的に接続された状態で光透過性合成樹脂によって封止され、リード端子の一部が光透過性合成樹脂から露出している。
【００５５】
図９に示すように、裏面２７ｂには、外部コネクタと接続される基板側コネクタ３８と、複数の抵抗４０が実装されるとともに、種々の配線パターン３７ｂがプリント配線されている。
【００５６】
図１０に示すように、絶縁シート２８は、約０．１〜０．１５ｍｍの厚みの可撓性を有する絶縁性の合成樹脂フィルム（例えば、ポリエチレンテレフタレートフィルム「ＰＥＴフィルム」）製のシートをプリント基板２７と略同一の外形に形成したものであり、プリント基板２７の裏面２７ｂを覆う形状に形成されている。
【００５７】
絶縁シート２８には、プリント基板２７の裏面２７ｂに設けた基板側コネクタ３８に対向する位置にコネクタ３８が貫通する縦長矩形状のコネクタ貫通穴２８ａが形成されている。このコネクタ貫通穴２８ａよりも下側には、プリント基板２７の配線パターン３７ａ，３７ｂが無い部分に形成された横長楕円形状の長穴４１に対向する位置に同形状の長穴２８ｂが形成されている。
【００５８】
図１１に示すように、合成樹脂製の基板押え２９は、縦長で且つ前後方向に所定幅を有し、プリント基板２７を押える際にプリント基板２７に実装された４つのＬＥＤ３６を前面に露出させるように形成されている。この基板押え２９には１対の固定用ビスに対応するビス挿通穴２９ａ，２９ｂが夫々設けられ、これらのビス挿通穴２９ａ，２９ｂは、基板押え２９が基板取付部２５に取付られる際、基板取付部２５のボス部３２ａ，３２ｂと対向するように形成されている。基板押え２９は、その裏面の平滑面がプリント基板２７の表面２７ａに面接触した状態で、２つのビス挿通穴２９ａ，２９ｂに挿通された固定用ビスを基板取付部２５のボス部３２ａ，３２ｂのビス穴に螺合させることにより、基板取付部２５の近傍部に前面側から締結固定される。
【００５９】
図１２に示すように、プリント基板２７を基板取付部２５に取付ける場合、プリント基板２７の裏面２７ｂ全体に、コネクタ貫通穴２８ａに基板側コネクタ３８を貫通させた状態で絶縁シート２８を重ね合わせる。次に、基板取付部２５の左端壁３０の前端と右端壁３３の支持部３３ａに、プリント基板２７の裏面の右端と左端とが夫々重なる状態で、プリント基板２７の長穴４１と本体板部３１のボス部３５のビス穴を合致させ、プリント基板２７を基板取付部２５に右下り傾斜状に配設する。
【００６０】
次に、プリント基板２７の表面２７ａ上に基板押え２９を載置し、基板押え２９のビス挿通穴２９ａ，２９ｂを基板取付部２５のボス部３２ａ，３２ｂのビス穴に合致させた状態で、固定用ビスにより基板押え２９を基板取付部２５にビス止めして締結固定することで基板押え２９によりプリント基板２７が基板取付部２５側へ押圧される。
【００６１】
光透過型装飾部材２４を基板取付部２５に取付ける場合、上下の突起部２６ａ，２６ｃと基板取付部２５の右端のビス挿通穴３４ａ，３４ｂを合致させてビス止めするとともに、中央の突起部２６ｂをプリント基板２７の長穴４１を介して基板取付部２５のボス部３５のビス穴に合致させて固定用ビス３９を基板取付部２５の裏側から螺合させる。これにより、光透過型装飾部材２４が基板取付部２５に締結固定されるとともに、プリント基板２７が絶縁シート２８を介在させた状態で基板取付部２５に締結固定される。
【００６２】
以上説明した実施例１のパチンコ遊技機１の基板取付構造の作用効果について説明する。
全体に硬質金メッキ加工が施されたセンタ役物外周枠左部２０Ｌに設けられたワープ通路２３のワープ入口２３ａを狙って連続的に発射された遊技球Ｐが、センタ役物外周枠左部２０Ｌに繰返し衝突すると高電圧の静電気が溜まり、この静電気により電気的ノイズが発生する。高電圧の電気的ノイズは、センタ役物外周枠左部２０Ｌから基板取付部２５に伝わる。
【００６３】
プリント基板２７は、ＰＥＴフィルム製の絶縁シート２８を介在させて基板取付部２５に押えるように取付られたので、絶縁シート２８により、基板取付部２５からプリント基板２７の裏面２７ｂへの電気的ノイズの伝搬が断ち切られる。この構成により、プリント基板２７に実装された複数のＬＥＤ３６の発光素子の破損を確実に防止することができる。
【００６４】
センタ役物外周枠左部２０Ｌの基板取付部２５の近傍部に前面からビス止めされ、プリント基板２７を基板取付部２５に押えるとともに複数のＬＥＤ３６を前面に露出させる形状に形成された基板押え２９を備えたので、基板押え２９によりプリント基板２７を基板取付部２５に確実に固定することができる。
【００６５】
プリント基板２７の裏面２７ｂに種々の配線パターン３７ｂがプリント配線され、基板取付部２５は、プリント基板２７の裏面２７ｂのうち配線パターン３７ｂが無い部分を絶縁シート２８を介して支持するボス部３５を有するので、プリント基板２７を絶縁シート２８を介在させて基板取付部２５に確実に固定することができる。
【００６６】
プリント基板２７の裏面２７ｂに基板側コネクタ３８が装着され、絶縁シート２８に、基板側コネクタ３８が貫通するコネクタ貫通穴２８ａが形成されたので、プリント基板２７を絶縁シート２８を介在させて基板取付部２５に取付けた状態で基板側コネクタ３８と外部コネクタを接続することができる。
【００６７】
プリント基板２７の前面側近傍部に光拡散部材２４ｂを備えた光透過型装飾部材２４を設けたので、複数のＬＥＤ３６が点光りするのを抑制することができ、ＬＥＤ３６からの光を拡散させて光演出による装飾効果を高めることができる。
【００６８】
前記実施例を部分的に変更する例について説明する。
１］実施例では、センタ役物外周枠２０に硬質金メッキ加工が施されたが、その他の導電性を有する貴金属メッキ加工（例えば、銀メッキや銅メッキ等）が施された場合でも、絶縁シート２８により、プリント基板２７に実装された複数のＬＥＤ３６の発光素子の破損を確実に防止できる。
【００６９】
２］光拡散部材２４ｂとして、光拡散性のある合成樹脂製のシートであってもよい。このシートの両面には、多数の微細な網目が形成されたシートを採用してもよい。
【００７０】
３］実施例では、絶縁シートしてＰＥＴフィルム製のシートを一例として示したが、その他、例えば、ポリカーボネートフィルム等の絶縁性の合成樹脂フィルム製の絶縁シートを採用してもよい。
【００７１】
４］実施例の基板取付構造は、センタ役物外周枠左部２０Ｌに限定されるものではなく、パチンコ遊技機１において、機能毎に分類された電子部品（ＣＰＵ、ＲＯＭ、ＲＡＭ等）を実装した種々のプリント基板の取付構造に適用可能である。
【００７２】
５］実施例では、第１種パチンコ機に分類されるパチンコ遊技機１に本発明を適用したが、羽根モノと呼ばれる第２種パチンコ機に分類されるパチンコ遊技機に本発明を適用してもよい。
【図面の簡単な説明】
【００７３】
【図１】本発明の実施例のパチンコ遊技機の概略正面図である。
【図２】遊技盤の正面図である。
【図３】センタ役物外周枠左部、上部の一部及び下部の正面図である。
【図４】センタ役物外周枠左部の拡大斜視図である。
【図５】光透過型装飾部材の斜視図である。
【図６】基板取付構造の側面図である。
【図７】基板取付構造を斜め後方から見た斜視図である。
【図８】プリント基板の表面の正面図である。
【図９】プリント基板の裏面の正面図である。
【図１０】絶縁シートの正面図である。
【図１１】基板押えの正面図である。
【図１２】図２のＸＩＩ−ＸＩＩ線断面図である。
【符号の説明】
【００７４】
Ｐ        遊技球
１        パチンコ遊技機
４        遊技盤
１７      センタ役物
２０      センタ役物外周枠
２０Ｌ    センタ役物外周枠左部
２４      光透過型装飾部材
２５      基板取付部
２７      プリント基板
２７ｂ    裏面
２８      絶縁シート
２８ａ    コネクタ貫通穴
２９      基板押え
３５      ボス部
３７ｂ    配線パターン
３８      基板側コネクタ
【図１】
2010142341.tif 000003
【図２】
2010142341.tif 000004
【図３】
2010142341.tif 000005
【図４】
2010142341.tif 000006
【図５】
2010142341.tif 000007
【図６】
2010142341.tif 000008
【図７】
2010142341.tif 000009
【図８】
2010142341.tif 000010
【図９】
2010142341.tif 000011
【図１０】
2010142341.tif 000012
【図１１】
2010142341.tif 000013
【図１２】
2010142341.tif 000014